(57)【要約】  光学トランジスタが開示される。本発明のある側面に従う装置は、半導体物質の中に配置された光学導波路を有する。ダイオード構造体は、その光学導波路の中に配置される。ダイオード構造体はＰおよびＮ領域を有する。電気的スイッチがそのダイオード構造体のそのＰ領域およびそのＮ領域に接続する。その電気的スイッチは、そのダイオード構造体のそのＰおよびＮ領域を切り替え可能にスイッチするように接続される。【選択図】図１
2008529058.tif 000002
【特許請求の範囲】
【請求項１】
半導体物質の中に配置された光学導波路と、
その光学導波路の中に配置されたダイオード構造体と、
そのダイオード構造体のＰ領域およびＮ領域に、そのダイオード構造体のＰおよびＮ領域を短絡させるように、切り替え可能に接続された、電気的スイッチと
を備える装置。
【請求項２】
前記光学導波路は、第１の波長を有する第１の光学ビームを受信するために、ポンプレーザーに光学的に接続され、そして、第２の波長を有する第２の光学ビームを受信するために、光源に光学的に接続され、前記第１の光学ビームはその光学導波路の中の前記第２の光学ビームをラマン増幅によって増幅する、請求項１に記載の装置。
【請求項３】
前記光学導波路を通るように導かれた前記第２の光学ビームの減衰を実質的に減少させるために前記ＰおよびＮ領域が前記電気的スイッチを介して短絡された場合において、前記光学導波路の中の２光子吸収に応じて生成された、前記光学導波路から供給される自由キャリアを一掃するために、前記ダイオード構造体は、接続されている、請求項２に記載の装置。
【請求項４】
前記第１の波長を有する前記第１の光学ビームが、前記光学導波路の中で前記第２の波長の前記第２の光学ビームの放出をもたらす第１のパワーレベルを有する場合に、前記ラマン増幅は、前記光学導波路の中で発生する、請求項２に記載の装置。
【請求項５】
前記ダイオード構造体の前記ＰおよびＮ領域の間に開路状態が存在する場合に、２光子吸収から前記光学導波路の中においてもたらされる前記第２の光学ビームの実質的な減衰が存在する、請求項２に記載の装置。
【請求項６】
前記光学導波路から前記第１の光学ビームが更に伝播されることを防ぐために、前記光学導波路に光学的に接続された、ポンプ防止フィルタを更に備え、前記ポンプ防止フィルタは、前記第２の光学ビームがもし存在すればそれが通過することを可能とする、請求項１に記載の装置。
【請求項７】
前記光学導波路はシリコン光学リブ導波路を備える、請求項１に記載の装置。
【請求項８】
前記電気的スイッチは電気信号に反応するトランジスタを備える、請求項１に記載の装置。
【請求項９】
前記電気的スイッチは、入射する光学ビームに反応するフォトダイオードを備える、請求項１に記載の装置。
【請求項１０】
前記入射する光学ビーム上にエンコードされたデジタル信号は、前記光学導波路から導かれた前記第２の光学ビーム上にエンコードされる、請求項９に記載の装置。
【請求項１１】
当該装置は光学波長変換器の中に含まれる、請求項１０に記載の装置。
【請求項１２】
半導体物質の中に規定された光学導波路の中に第１の波長の第１の光学ビームを導くことと、
前記光学導波路の中に第２の波長の第２の波長の第２の光学ビームを導くことと、
前記光学導波路の中に配置されたダイオード構造体のＰ領域およびＮ領域の間に、開路状態が存在する場合に、前記光学導波路の中で前記第２光学ビームを実質的に減衰させることと、
前記光学導波路の中に配置される前記ダイオード構造体のＰ領域およびＮ領域の間に短絡状態が存在する場合に前記光学導波路から前記第２の光学ビームを放出させることと
を備える方法。
【請求項１３】
前記ダイオード構造体の前記Ｐ領域および前記Ｎ領域の間に短絡状態が存在する場合に前記第１の光学ビームにより前記第２の光学ビームをラマン増幅することを、更に備える請求項１２に記載の方法。
【請求項１４】
前記光学導波路の中に配置される前記ダイオード構造体のＰ領域およびＮ領域の間に短絡状態が存在する場合に前記光学導波路から前記第２の光学ビームを放出させる、前記のことは、前記光学導波路の中の２光子吸収に応じて前記光学導波路から生成される自由キャリアを一掃すること、を備える、請求項１２に記載の方法。
【請求項１５】
前記第１の光学ビームが前記光学導波路から伝播することを防止すること、を更に備える、請求項１２に記載の方法。
【請求項１６】
前記ダイオード構造体の前記ＰおよびＮ領域の間に接続されるトランジスタを切り替えること、を更に備える、請求項１２に記載の方法。
【請求項１７】
前記トランジスタを切り替えることに応じて前記第２の光学ビームを変調すること、をさらに備える、請求項１６に記載の方法。
【請求項１８】
前記ダイオード構造体の前記Ｐ領域および前記Ｎ領域の間に短絡状態を生成するために、前記ダイオード構造体の前記ＰおよびＮ領域の間に接続されるフォトダイオードに光を当てること、を更に備える、請求項１２に記載の方法。
【請求項１９】
フォトダイオードに光を当てるために用いられる光学ビームにエンコードされたデジタル信号の波長を変換して、前記光学導波路から放出される前記第２の光学ビーム上にエンコードされるデジタル信号を生成する、請求項１８に記載の方法。
【請求項２０】
第１の波長を有する第１の光学ビームを生成するために光ポンプと、
第２の波長を有する第２の光学ビームを生成するための光源と、
半導体物質の中に配置され、その中にダイオード構造体を有し、前記第１および第２の光学ビームを受信するために光学的に接続された、光学導波路と、
前記ダイオード構造体のＰ領域およびＮ領域に接続され、前記ダイオード構造体の前記ＰおよびＮ領域を切替可能に短絡するために接続された、電気的スイッチと、
前記光学導波路からの前記第２の光学ビームを受信するために光学的に接続された光学受信部と、
前記光学導波路から供給される前記第２の光学ビームを受信するための前記光学受信部を光学的に接続するために、前記光学導波路および前記光学受信部の間を光学的に接続する光学ファイバと
を備えるシステム。
【請求項２１】
前記光学導波路を通るように導かれた前記第２の光学ビームの減衰を実質的に減少させるために前記電気的スイッチを介して前記ＰおよびＮ領域が短絡された場合に、前記光学導波路の中で２光子吸収に応じて前記光学導波路から生成された自由キャリアを一掃するために、前記ダイオード構造体は接続されている、請求項２０に記載のシステム。
【請求項２２】
前記第１の波長を有する前記第１の光学ビームが、前記光学導波路の中で前記第２の波長の前記第２の光学ビームの放出をもたらす第１のパワーレベルを有する場合に、ラマン増幅が、前記光学導波路の中で発生する、請求項２０に記載のシステム。
【請求項２３】
前記ダイオード構造体の前記ＰおよびＮ領域の間に開路状態が存在する場合に、２光子吸収から前記光学導波路の中においてもたらされる前記第２の光学ビームの実質的な減衰が存在する、請求項２０に記載のシステム。
【請求項２４】
前記第１の光学ビームを防ぐために、前記光学導波路および前記光学受信器の間に光学的に接続された、光学フィルタを更に備える、請求項２０に記載のシステム。
【請求項２５】
前記電気的スイッチはトランジスタを備える、請求項２０に記載のシステム。
【請求項２６】
前記電気的スイッチはフォトダイオードを備える、請求項２０に記載のシステム。
【発明の詳細な説明】
【技術分野】
【０００１】
本発明の実施例は一般的には光学デバイスに関連し、更に詳細には、但しそれに限られないが、光学ビームのオフおよびオンに関連する。
【背景技術】
【０００２】
インターネットデータトラフィックの成長率が音声トラフィックを凌駕し、ファイバ光学通信の需要を押し上げつつあるのに従い、高速かつ効率的な光学ベースの技術の需要が増加している。高密度波長分割多重方式（ＤＷＤＭ）システムにおいて同一のファイバに複数の光学チャネルを転送することは、光ファイバによりもたらされる無類の容量（信号バンド幅）を使用する単純な方法をもたらす。そのシステムにおいて普通に用いられる光学コンポーネントは、波長分割多重方式（ＷＤＭ）の送信部および受信部、回折格子などの光学フィルタ、薄膜フィルタ、ファイバブラッグ格子、アレイ導波路の格子、光学の加算／減少マルチプレクサ、レーザー、および、光学スイッチを含む。
【０００３】
機械的スイッチデバイスは、一般的には、光学ファイバの間の光学経路の中に位置づけられた物理的なコンポーネントを必要とする。これらのコンポーネントはスイッチ動作を生じさせるために動く。微小電気機械システム（ＭＥＭＳ）は、最近、小型の機械スイッチとして用いられてきた。ＭＥＭＳは、それらがシリコンベースであって、従来のシリコンプロセッシング技術をいくらか使用して加工されるので、人気がある。しかしながら、ＭＥＭＳ技術は一般的には物理的部品あるいはコンポーネントの実際の機械的な動作に依存するので、ＭＥＭＳは一般的にはより遅い速度の応用、例えば、ミリセカンドオーダーの応答時間を有するような応用に、限定される。
【０００４】
電気光学スイッチング・デバイスにおいて、あるデバイスの中に電界を生成するために、そのデバイスのうちの選択された部分に電圧が印加される。その電界は、そのデバイス内の選択された物質の光学的な性質を変更する。電気光学デバイスは、典型的には、光学的な透明性と電圧可変の光学的振る舞いを組み合わせる、電気光学物質を利用する。電気光学スイッチング・デバイスにおいて用いられる、１つの典型的な種類の単結晶の電気光学材料は、リチウム・ニオベート（ＬｉＮｂＯ３）である。
【０００５】
リチウム・ニオベートは、ポッケルス効果などの電気光学的性質を表す、紫外線から中赤外域の周波数帯において、透明な材料である。ポッケルス効果は、リチウム・ニオベートなどのメディアの屈折率が、印加された電界によって変化する、光学的な現象である。リチウム・ニオベートの変化した屈折率は、スイッチングをもたらすために使用されてもよい。今日の電気光学スイッチに、印加される電界は、外部の制御回路により供給される。
【０００６】
このような種類のデバイスのスイッチング速度は、例えばナノセカンド・オーダーのようにとても速いのだが、今日の電気光学スイッチング・デバイスの１つの欠点は、これらのデバイスが光学ビームを切り替えるために一般的に比較的高い電圧を必要とすることである。結果として、今日の電気光学スイッチを制御するために利用される外部の回路はたいてい高電圧を生成するために特別に組み立てられ、そして、大量の電圧消費に耐えている。加えて、そのような外部の高電圧の制御回路を今日の電気光学スイッチと統合することは、デバイスの大きさがスケールダウンし続け、かつ、回路密度が増加し続けるにつれて、極めて挑戦的なタスクになりつつある。
【発明の詳細な説明】
【０００７】
光学ビームをスイッチ・オン／オフし、および／または、波長変換するための光学トランジスタを提供するための方法および装置が開示される。以下の記載において数多くの具体的な詳細は、本発明の完全な理解を提供するために説明される。しかしながら、その具体的な詳細は必ずしも本発明を実施するために採用されないことが、当業者にとって明らかであろう。他の場合において、よく知られた材料又は方法は、本発明を曖昧にすることを避けるために詳細には説明されない。
【０００８】
この明細書における「１つの実施例」あるいは「ある実施例」という参照は、その実施例と結び付けて説明される特定の機能、構造、あるいは特徴が、本発明の少なくとも１つの実施例に含まれるということを意味する。従って、この明細書の様々な場所における「１つの実施例において」または「ある実施例において」というフレーズの出現は、必ずしも全てが同じ実施例を参照するとは限らない。さらに、その特定の機能、構造、又は特徴は１又は２以上の実施例において如何なる適切な方法によって組み合わされてもよい。加えて、ここで提供される図面が、当業者にとっての説明の目的のためであって、図面は必ずしもスケール通りに描かれてないことが理解されよう。
【０００９】
図１は、本発明の教示に従ってスイッチ・オンされる光学トランジスタ１０１の１つの実施例を含むシステムの１つの実施例を一般的に説明するブロック図である。図１に示すように、光学トランジスタ１０１は、半導体物質１０５の中に配置された光学導波路１０３を含む。ある実施例において、半導体物質１０５はシリコン・オン・インシュレータ・ウェハのシリコン層を含む。Ｐ領域１０７およびＮ領域１０９は光学導波路１０３の中に配置されたＰ＋およびＮ＋でドープされた領域であり、光学導波路１０３の中に配置されたダイオード構造体を提供する。ある実施例において、そのダイオード構造体は、ＰＩＮダイオードであって、そのＰＩＮダイオードは、光学導波路１０３の中に含まれるそのＰＩＮダイオードの内在するシリコンを伴う。ある実施例において、電気的スイッチ１１７は、そのダイオード構造体のＰ領域１０７およびＮ領域１０９の間に接続される。図１に示す具体的な実施例において、電気的スイッチ１１７の機能は、１入力１出力スイッチ１１９を伴って一般的に説明されている。理解されるように、スイッチ１１９は、そのダイオード構造体のＰ領域１０７およびＮ領域１０９の間の短絡状態を生成するために、閉じられてよい。本発明の教示に従って、Ｐ領域１０７およびＮ領域１０９の間にその短絡状態を生成するために、この実施例は、図１において、閉じられた位置にあるスイッチ１１９を伴って説明されている。その代わりに、図２は、本発明の教示に従ってＰ領域１０７およびＮ領域１０９の間に開路状態を生成するために、スイッチ１１９が開かれ得ることを説明するブロック図の例である。
【００１０】
その説明された実施例に示すように、光学導波路１０３は、光学ポンプ１２５および光源１２７に光学的に接続される。ある実施例において、光学ポンプ１２５は、ハイパワーの光学レーザーである。そして、そのレーザーは、光学導波路１０３内に導かれた、第１の波長を有するハイパワーの第１の光学ビーム１１１を生成する。光源１２７は、ローパワーの信号を生成するローパワーの光学レーザーである。そして、その信号は、光学導波路１０３内に導かれた第２の光学ビーム１１３である。図１に示す実施例において、光学導波路１０３の同じ端に向かうように第１光学ビーム１１１および第２光学ビーム１１３が導かれていることに気がつく。本発明の教示に従えば、他の実施例において、第１の光学ビーム１１１および第２の光学ビーム１１３が、光学導波路１０３の異なる端に向かうように導かれてよいことが理解される。
【００１１】
ある実施例において、ハイパワーの光学ビーム１１１は、シリコンの光学導波路１０３を通るように導かれた、１Ｗのパワーを有するポンプレーザービームである。そして、それは、光学導波路１０３において、ラマン増幅あるいは誘導ラマン散乱（ＳＲＳ）によって、より弱い第２の光学ビーム１１３を増幅することができる。しかしながら、議論されてゆくように、光学導波路１０３のシリコンを通ってハイパワーの第１光学ビーム１１１が光る場合には、それは、光学導波路１０３において２光子吸収により自由キャリアをさらに励起させる。そして、本発明の教示に従えば、これらの自由キャリアは、光学導波路１０３内の、第２の光学ビーム１１３を含む光、との間で相互に作用し、そして、自由キャリアのライフタイムとほぼ等しい時間の光学ロスを引き起こす。
【００１２】
従って、ある実施例において、ＰおよびＮ領域１０７および１０９を含むダイオード構造体を光学導波路１０３に埋め込むことで、その自由キャリアはスイッチ１１０に応じて光学導波路１０３から選択的に一掃され得る。本発明の教示に従えば、スイッチ１１９を閉じてＰ領域１０７およびＮ領域１０９の間に短絡状態を生成することにより、その自由キャリアがその光学モードとの間で相互作用する時間は減少し、そしてそれは、自由キャリア吸収を開始させる２光子を減少させることができる。本発明の教示に従えば、その代わりに、スイッチ１１９を開くことにより、ＰおよびＮ領域１０７および１０９の間に開路状態が生成され、そしてそれは、光学導波路１０３内のその光を減衰させるために、その自由キャリアを光学導波路１０３内により長く留まらせることができる。
【００１３】
そのため、図１に説明するように、第２の光学ビーム１１３は、光学導波路１０３に向けて導かれる。スイッチ１１９が閉じられると、光学導波路１０３における第２光学ビーム１１３についての、自由キャリア吸収を開始させる２光子が減少し、光学ビーム１１３が光学導波路１０３から図示のように放出される。しかしながら、図２に示すように、スイッチ１１９が開かれると、光学導波路１０３における第２光学ビーム１１３についての、自由キャリアの吸収を開始させる２光子の発生が許可され、そしてそれは、光学導波路１０３内の第２の光学ビーム１１３を実質的に減衰させる。その結果、本発明の教示に従ってスイッチ１１９が開かれると、第２の光学ビーム１１３は、光学導波路１１３から放出されない。
【００１４】
ある実施例において、第２の光学ビーム１１３の正味のゲインは、光学トランジスタ１０１が実際にスイッチ・オフされたような、開路状態が存在する場合には、だいたい−９ｄＢである。対称的に、第２の光学ビーム１１３の正味のゲインは、光学トランジスタ１０１が実際にスイッチ・オンされたような、短絡状態が存在する場合には、だいたい−２ｄＢである。もちろんこれらの正味のゲインの値は例示および説明の目的のみのために提供され、そして、本発明の教示に従う光学トランジスタの他の実施例を用いれば、他の正味のゲインの値が実現され得る。
【００１５】
ある実施例において、ポンプ防止フィルタ１１５は、光学導波路１０３に光学的に接続され、そのポンプ又は第１の光学ビーム１１１が光学導波路１０３から伝播することを防ぐ。しかしながら、ポンプ防止フィルタ１１５は、第２光学ビーム１１３はブロックしない。光学トランジスタ１０１を含むシステムのある実施例において、光学受信部１３１は、第２光学ビーム１１３を受信するために光学的に接続されている。ある実施例において、本発明の教示に従えば、光学受信部１３１は第２の光学ビーム１１３を光学導波路１０３から光学ファイバ１２９を通して受信するために、光学的に接続されている。
【００１６】
上述のように、本発明の教示に従えば、ある実施例において、第１の光学ビーム１１１は、自然発生的なラマン拡散の生成、および、選択された周波数のラマン信号の誘導ラマン拡散（ＳＲＳ）による増幅に使用するための光学ポンプである。特に、ＳＲＳが光導波路１０３の実施例のメディア又はシリコン内で発生した場合に、その光学ポンプのエネルギーのうちの幾らかは異なる周波数の光に変換される。周波数におけるこの相違またはシフトは、ラマン周波数シフトと呼ばれている。説明される実施例において、本発明の教示に従えば、光学導波路１０３内の光学ビーム１１１のパワーレベルが充分である場合に、光学導波路１０３から第２の波長（λｓ）を有する光学ビーム１１３が放出される。
【００１７】
ある材料についてその光学ビーム１１１のその第１の波長（λｐ）におけるＳＲＳゲイン率の値は、式１によって理解されよう。
ｇ＝１６π３ｃ２Ｓ／（ｈωｓ３ｎｓ２（Ｎ０＋１）Γ）  （式１）
ここでＳは自発ラマン拡散係数（ωｓ４に対する割合）であり、ｈはプランクの定数であり、ｎｓはストークの周波数における導波路コアの材料の屈折率であり、ωｓはストーク放出の角周波数であり、Ｎ０はボーズファクタであり、そして、Γは（角周波数を単位とした）ストークラインの最大の半分における全幅の半分である。式１は（Ｓのωｓ４ファクタのため）ゲイン率がストークの角周波数に対し線形に依存することを示す。
【００１８】
ある実施例において、本発明の教示に従えば、第２の光学ビーム１１３のその第２の波長（λｓ）は、光学ビーム１１１の１次ストーク周波数に実質的に等しい周波数に対応する。光学導波路１０３の半導体材料をシリコンとしたある実施例において、第１の光学ビーム１１１のその第１の波長（λＰ）は、おおよそ１５５０ｎｍである。本発明の教示に従えば、この実施例において、第１の光学ビームのその第２の波長（λｓ）をおおよそ１６８６ｎｍとするためには、そのストーク波長は光学ビーム１１１のポンプ波長より１５．６ＴＨｚ低い。
【００１９】
図３は、本発明の実施例に従う光学導波路１０３の実施例を含む光学トランジスタ１０１の実施例を一般的に説明する断面図である。実施例の説明において示すように、光学導波路１０３はリブ領域およびスラブ領域を含むリブ導波路である。図３に示すその実施例において、そのリブ導波路を通って伝播する、単一モードの光学ビーム１１３が示されている。示したように、光学ビーム１１３のその光学モードの配光は、その光学ビーム１１３の大部分が、光学導波路１０３のそのリブ領域の部分を通ってそのリブ導波路の内部に向かって伝播するというものである。加えて、光学ビーム１１３の一部は、スラブ領域の部分を通って光導波路１０３の内部に向かって伝播する。光学ビーム１１３のその光学モードと共にも示したように、光学ビーム１１３の光学モードを伝播させることについての強度は、光学導波路１０３のそのスラブ部分のその「側面」と同様に、リブ領域の「上部側の角」において、殆ど無いくらいに小さい。
【００２０】
図３に示す実施例において、光学導波路１０３の内部に配置されたそのダイオード構造体のＰ領域１０７およびＮ領域１０９は、光学導波路１０３の内部のそのスラブ領域の反対側の側面であって、光学ビーム１１３のその光学モードの外側に配置される。その例示した実施例において説明するように、光学導波路１０３の内部に配置されたそのダイオード構造体は、Ｐ領域１０７およびＮ領域１０９を含むＰＩＮダイオードである。その説明した実施例において、光学ビーム１１３のその光学モードはそのＰＩＮダイオード構造体に本来備わっているシリコンを伝播する。
【００２１】
図３の実施例において、電気的スイッチ１１７のスイッチ１１９は、Ｐ領域１０７およびＮ領域１０９の間に接続されるように説明されている。本発明の教示に従えば、スイッチ１１９が閉じられた場合に、そのダイオード構造体のそのＰ領域１０７およびＮ領域１０９の間に短絡状態が生成され、そしてそれは、光学導波路１０３から第２の光学ビーム１１３が放出されることを可能にする。本発明の教示に従えば、スイッチ１１９が開かれた場合に、Ｐ領域１０７およびＱ領域１０９の間に、開路状態が生成され、そしてそれは、第２の光学ビーム１１３が光学導波路１０３から効果的に放出されないようにすることで、第２の光学ビーム１１３が減衰することを可能にする。
【００２２】
図４は、本発明の教示に従って、光学トランジスタ１０１の実施例にける電気的スイッチ１１７において採用されるトランジスタ４１９の実施例の概要を示す。ある実施例において、トランジスタ４１９は、図１、２および３に説明される、１入力１出力のスイッチ１１９の代わりに使用されてもよい。本発明の教示によれば、光学導波路１０３の中のそのダイオード構造体は、トランジスタ４１９を用いることにより開路状態および短絡状態の間で切り替えられ得る。
【００２３】
ある実施例において、本発明の教示に従えば、トランジスタ４１９を切り替えることにより、あるいは、電気的スイッチ１１９を切り替えることにより、一般的には、その光学導波路１０３のその正味のゲインは、振幅変調器が光学トランジスタ１０１を伴って実現されるように、変調される。例えば、上述の実施例において、７−ｄＢの減衰率の振幅変調器が、本発明の教示に従って実現される。本発明の実施例に従う光学トランジスタまたは振幅変調器は、外部に印加された如何なる電界にも依存しない。加えて、本発明の教示に従えば、極端に低い電力の光学変調器が、トランジスタ４１９のための極端に低い電力のデバイスを伴って実現されてもよい。
【００２４】
図５は、本発明の教示に従う、フォトダイオード５１９の実施例を含む電気的スイッチ１１７の概要である。ある実施例において、フォトダイオード５１９は、図１、２および３に説明される、１入力１出力のスイッチ１１９の代わりに使用され得る、逆バイアスのフォトダイオードである。本発明の教示に従うと、光学導波路１０３内のそのダイオード構造体は、フォトダイオード５１９に選択的に光をあて、又は、光を当てないことにより、開路状態および短絡状態の間で切り替えられる。
【００２５】
本発明の教示に従うと、説明された実施例に示すように、光源５２１はフォトダイオード５１９に光を当てる光５２３を選択的に生成するために採用されてもよい。特に、そのフォトダイオード５１９に光５２３が入射しない場合には、フォトダイオード５１９を通って電流が通過しない。しかしながら、光５２３がそのフォトダイオード５１９に当たると、フォトダイオード５１９に光電流が生じる。
【００２６】
従って、本発明の教示に従えば、フォトダイオード５１９が光５２３によって照らされる場合に、Ｐ領域およびＮ領域の間に短絡状態が生成され、そしてそれは、光学導波路１０３から第２の光学ビーム１１３が放出されることを可能にすることができる。本発明の教示に従えば、フォトダイオード５１９が光５２３によって照らされない場合に、Ｐ領域１０７およびＮ領域１０９の間に開路状態が生成され、そしてそれは、光学ビーム１１３が光学導波路１０３から放出されないようにすることで、第２の光学ビーム１１３が減衰されないようにすることができる。
【００２７】
ある実施例において、フォトダイオード５１９はそのフォトダイオード５１９に当たる光５２３の弱い信号のビームのみを伴って機能してもよい。したがって、本発明の教示に従えば、フォトダイオード５１９は、光学導波路１０３を通過する第２の光学ビーム１１３のような強いビームを、比較的弱い、光５２３の信号ビームにより、制御し、又は、その振幅を変調することができる。
【００２８】
本発明の教示に従えば、ある実施例において、光学トランジスタ１０１は波長変換器として利用されてもよい。例えば、光５２３が波長１の光であり、一方、第２の光学ビーム１１３が波長２の光であると仮定しよう。データ信号が光５２３にエンコードされていると仮定しよう。本発明の教示に従えば、フォトダイオード５１９に当たる波長１の光５２３は、光５２３にエンコードされたデータ信号が光学ビーム１１３に今エンコードされるように、光学トランジスタを通じて波長２の光学ビーム１１３をスイッチし、そして、その光学トランジスタ１０１を波長変換器として機能させるであろう。
【００２９】
本発明について上述のように説明された実施例は、その要約部分で述べたことも含めて、開示された正確な文書に対して網羅的であること、あるいは、それに限定されることを意図したものではない。本発明の詳細な実施例および本発明のための具体例は、説明の目的のためにここで述べられている一方で、様々な均等の変更が可能であることを、当業者であれば認識するであろう。実際、本発明の教示に従えば、その具体的な波長、大きさ、材料、時間、電圧、電力領域の値など、は、説明の目的のために提供され、そして、他の実施例においては他の値が更に採用され得ることが理解される。
【００３０】
上述の詳細な説明の観点から、本発明の実施例にはこれらの変更を加えることができる。後述の請求項で用いられる用語は、その発明を明細書および特許請求の範囲に開示された特定の実施例に限定するように解釈されるべきではない。むしろ、その範囲は後述の請求項によって完全に決定され、そしてそれは、請求項解釈についての確立された主義に従って解釈されるべきである。
【図面の簡単な説明】
【００３１】
限定的でなく、かつ、網羅的でない、本発明の実施例は、以下の図面を参照して説明される。そして、他に特定されない限り、様々な観点において似通った参照番号は似通った部分を参照する。
【図１】図１は、本発明の教示に従ってスイッチ・オンされる光学トランジスタの実施例を含むシステムの実施例を説明するブロック図である。
【図２】図２は、本発明の教示に従ってスイッチ・オフされる光学トランジスタの実施例を含むシステムの実施例を説明するブロック図である。
【図３】図３は、本発明の実施例に従うリブ光学導波路の実施例を含む光学トランジスタの実施例の断面図を示す。
【図４】図４は、本発明の教示に従って、光学トランジスタの実施例において光学スイッチとしての役割を果たすために採用された、トランジスタの実施例の概略図である。
【図５】図５は、本発明の教示に従って、光学トランジスタの実施例において光学スイッチとしての役割を果たすために採用された、フォトダイオードの実施例の概略図である。
【図１】
2008529058.tif 000003
【図２】
2008529058.tif 000004
【図３】
2008529058.tif 000005
【図４】
2008529058.tif 000006
【図５】
2008529058.tif 000007
【国際調査報告】
2008529058.tif 000008
2008529058.tif 000009
2008529058.tif 000010